(57)【要約】【課題】専用のプログラムや端末を使用することなく、ネットワークに接続される機器の管理を一括して行う。【解決手段】送信機３及び受信機５は、自己の機器種別を示す機器種別情報を含む認識パケットを送信すると共に他の送信機３及び受信機５からの認識パケットを受信し、何れかの前記送信機３を、ユーザの指示が入力されるマスタ機器として機能させる。マスタ機器は、受信した機器種別情報と、ユーザの指示に従った各送信機３による調光制御信号の合成処理を設定する合成設定情報とを対応づけた受信装置設定管理テーブルを作成し、当該受信装置設定管理テーブルに含まれる合成設定情報を各受信機５に送信して、各受信機５による調光制御信号の合成処理を設定する。【選択図】      図１
2004336169.tif 000002
【特許請求の範囲】
【請求項１】
調光制御用プロトコルに従った照明装置を制御する調光制御信号を入力して通信用プロトコルに変換して通信データとして送信する複数の送信装置と、前記複数の送信装置からの通信データを受信し、当該通信データを通信用プロトコルから調光制御用プロトコルに変換し、複数の調光制御信号を合成処理して照明装置に出力する複数の受信装置とを備える調光制御システムであって、
前記送信装置及び前記受信装置は、自己の機器種別を示す機器種別情報を含む認識パケットを送信すると共に他の送信装置及び受信装置からの前記認識パケットを受信し、
何れかの前記送信装置は、ユーザの指示が入力されるマスタ機器として機能し、
前記マスタ機器は、受信した前記認識パケットに含まれる機器種別情報と、ユーザの指示に従った前記各受信装置による調光制御信号の合成処理を設定する合成設定情報とを対応づけた受信装置設定管理テーブルを作成し、当該受信装置設定管理テーブルに含まれる合成設定情報を前記各受信装置に送信して、前記各受信装置による調光制御信号の合成処理を設定することを特徴とする調光制御システム。
【請求項２】
前記受信装置は、前記調光制御信号を出力する出力ポート数情報を格納する出力ポート数格納領域を有する認識パケットを送信し、
前記マスタ機器は、前記受信装置から受信した認識パケットに含まれる出力ポート数情報から、前記受信装置に複数の出力ポートが設けられていると判定した場合には、出力ポートごとの前記合成設定情報を含む受信装置設定管理テーブルを作成することを特徴とする請求項１に記載の調光制御システム。
【請求項３】
前記送信装置は、ユーザに操作される操作入力手段を備え、当該操作入力手段の操作に応じて前記マスタ機器として機能することを特徴とする請求項１に記載の調光制御システム。
【請求項４】
前記送信装置は、ユーザが操作する端末からの情報を入力する通信手段を備え、当該通信手段からマスタ機器として機能することを指示するコマンドを入力することを特徴とする請求項１に記載の調光制御システム。
【請求項５】
前記マスタ機器は、他の送信装置からの認識パケットに含まれる機器種別情報に基づいてマスタ機器として機能している他の送信装置を検出する検出手段と、当該検出手段により他の送信装置がマスタ機器として機能している場合に異常をユーザに通知する異常通知手段とを備えることを特徴とする請求項１に記載の調光制御システム。
【請求項６】
前記送信装置は、前記マスタ機器として機能する優先度を示す優先度情報を格納する優先度格納領域を有する認識パケットを送受信し、
前記優先度情報を設定する優先度設定手段と、他の送信装置の優先度と前記優先度設定手段により設定された優先度とを比較する優先度比較手段とを備え、
最も優先度が高い送信装置をマスタ機器として機能させることを特徴とする請求項１に記載の調光制御システム。
【請求項７】
前記送信装置は、他の送信装置に付与されたアドレス情報の最下位バイトと、自己のアドレス情報の最下位バイトとを比較するアドレス比較手段を備え、
最もアドレス情報の最下位バイトが小さい送信装置をマスタ機器として機能させることを特徴とする請求項１に記載の調光制御システム。
【請求項８】
前記送信装置は、複数の受信装置の合成設定情報を同時に設定する同時設定手段を備えることを特徴とする請求項１に記載の調光制御システム。
【請求項９】
前記認識パケットに合成設定情報の管理番号情報を格納する管理番号領域を設け、
前記マスタ機器は、前記管理番号情報と合成設定情報を対応づけた受信装置設定管理テーブルを作成し、前記受信装置は、合成設定情報と共に管理番号情報を記憶し、
前記マスタ機器は、前記受信装置に記憶されている管理番号と、前記受信装置設定管理テーブルに含まれる管理番号とを比較して、前記受信装置に記憶されている管理番号が前記受信装置設定管理テーブルに含まれる管理番号よりも古い場合に、合成設定情報を前記受信装置に送信することを特徴とする請求項１に記載の調光制御システム。
【請求項１０】
前記マスタ機器は、前記受信装置設定管理テーブルを定期的に他の送信装置に送信し、他の送信装置は、受信した前記受信装置設定管理テーブルを記憶し、
前記マスタ機器が使用不可となった場合に、他の送信装置をマスタ機器として機能させることを特徴とする請求項１に記載の調光制御システム。
【請求項１１】
前記送信装置は、前記マスタ機器からの認識パケットを受信して前記マスタ機器の状態を監視し、前記マスタ機器が故障したと判定した場合に、マスタ機器として機能する処理又は前記マスタ機器が故障したことをユーザに通知して前記マスタ機器の変更を促す処理をすることを特徴とする請求項１に記載の調光制御システム。
【請求項１２】
前記送信装置は、前記マスタ機器として機能する優先度を示す優先度情報を格納する優先度格納領域を有する認識パケットを送受信し、
優先度情報を設定する優先度設定手段と、他の送信装置の優先度と前記優先度設定手段により設定された優先度とを比較する優先度比較手段とを備え、
前記マスタ機器が故障したと判定した場合に、最も優先度が高い送信装置をマスタ機器として機能させることを特徴とする請求項１１に記載の調光制御システム。
【請求項１３】
前記送信装置は、他の送信装置に付与されたアドレス情報の最下位バイトと、自己のアドレス情報の最下位バイトとを比較するアドレス比較手段を備え、
前記マスタ機器が故障したと判定した場合に、最もアドレス情報の最下位バイトが小さい送信装置をマスタ機器として機能させることを特徴とする請求項１１に記載の調光制御システム。
【請求項１４】
前記送信装置及び前記受信装置は、他の一部の前記送信装置及び前記受信装置との間で設定されたグループアドレスを保持し、当該グループアドレスを宛先アドレスとして通信をすることを特徴とする請求項１に記載の調光制御システム。
【発明の詳細な説明】
【０００１】
【発明の属する技術分野】
本発明は、伝送プロトコルが異なるネットワーク間でデータ伝送をすることにより、照明装置を制御する調光制御システムに関する。
【０００２】
【従来の技術】
従来のネットワークを利用した調光システムとしては、調光卓に接続された送信装置により照明制御用標準通信方式に準拠したＤＭＸ信号を生成し、当該ＤＭＸ信号をイーサネット（登録商標）などのＬＡＮ（Ｌｏｃａｌ  Ａｒｅａ  Ｎｅｔｗｏｒｋ）信号にプロトコル変換をし、受信装置にてＬＡＮ信号を受信すると当該ＬＡＮ信号をＤＭＸ信号に変換して照明装置に送信することにより、照明装置の動作を制御するものが知られている（下記の特許文献１、特許文献２参照。）。
【０００３】
このような調光システムにおいて、複数の調光卓からの信号を合成してＤＭＸ信号を生成するためには、複数の信号を合成するための送信装置に関する情報やＤＭＸチャンネル情報を予め受信装置内に設定しておく必要がある。このように受信装置を設定するためには、受信装置の各ＤＭＸ信号出力ポートごとに設定する必要があり、従来では各受信装置ごとにユーザにより設定する必要があった。
【０００４】
また、従来の調光システムにおいては、ネットワーク上に接続された機器を管理する手法として、送信装置や受信装置を含む調光機器を管理するために専用に作成された例えばＳＮＭＰ（Ｓｉｍｐｌｅ  Ｎｅｔｗｏｒｋ  Ｍａｎａｇｅｍｅｎｔ  Ｐｒｏｔｏｃｏｌ）等の機器管理プログラムをパーソナルコンピュータにインストールしておき、当該パーソナルコンピュータをネットワークに接続する技術が知られている。
【０００５】
【特許文献１】
特開２０００−２７７２６８号公報
【０００６】
【特許文献２】
特開２００２−２８９３６５号公報
【０００７】
【発明が解決しようとする課題】
しかしながら、上述の従来の技術では、複数の調光卓からの信号を合成するために、受信装置ごとにアクセスして設定する必要があったので、システムの規模が大きくなり受信装置の数が多くなるほど、ユーザにとって非常に煩わしい作業となり、受信装置の設定管理が困難となると共に設定ミスが発生しやすくなってしまう。また、ネットワーク上に接続された機器が故障した場合には機器を交換する必要があるが、このときに機器の再設定をする必要がある。更に、機器の再設定をするために、各機器に設定する情報のバックアップをする必要などがあり、システムの保守性にも問題があった。
【０００８】
更に、従来の調光システムにおいて、専用の機器管理用プログラムがインストールされたパーソナルコンピュータをネットワークに接続するものでは、システムの安定性や信頼性において好ましくないという問題があった。また、従来の調光システムにおいては、送信装置及び受信装置の他に、各機器を管理するための専用の端末が必要であり、システムとして複雑且つ高コストとなってしまう。
【０００９】
そこで、本発明は、上述した実情に鑑みて提案されたものであり、専用のプログラムや端末を使用することなく、ネットワークに接続される機器の管理を一括して行うことができる調光制御システムを提供することを目的とする。
【００１０】
【課題を解決するための手段】
本発明に係る調光制御システムは、調光制御用プロトコルに従った照明装置を制御する調光制御信号を入力して通信用プロトコルに変換して通信データとして送信する複数の送信装置と、複数の送信装置からの通信データを受信し、当該通信データを通信用プロトコルから調光制御用プロトコルに変換し、複数の調光制御信号を合成処理して照明装置に出力する複数の受信装置とを備える。
【００１１】
この調光制御システムにおいて、送信装置及び受信装置は、自己の機器種別を示す機器種別情報を含む認識パケットを送信すると共に他の送信装置及び受信装置からの認識パケットを受信し、何れかの送信装置を、ユーザの指示が入力されるマスタ機器として機能させる。
【００１２】
このマスタ機器は、受信した認識パケットに含まれる機器種別情報と、ユーザの指示に従った各受信装置による調光制御信号の合成処理を設定する合成設定情報とを対応づけた受信装置設定管理テーブルを作成し、当該受信装置設定管理テーブルに含まれる合成設定情報を各受信装置に送信して、各受信装置による調光制御信号の合成処理を設定する。
【００１３】
これにより、調光制御システムによれば、ユーザにより直接受信装置にアクセスなどをすることなく各受信装置の設定を行うことにより、上述の課題を解決する。
【００１４】
【発明の実施の形態】
以下、本発明の第１実施形態〜第１２実施形態について図面を参照して説明する。
【００１５】
［第１実施形態］
本発明は、例えば図１に示すように構成された調光システムに適用される。
【００１６】
［調光システムの構成］
この調光システムは、複数の調光卓１Ａ、調光卓１Ｂ、調光卓１Ｃ、調光卓１Ｄ（以下、総称するときには単に「調光卓１」と呼ぶ。）がユーザに操作され、ユーザの操作に応じた信号をＤＭＸ信号線２、送信機３Ａ、送信機３Ｂ、送信機３Ｃ及び送信機３Ｄ（以下、総称するときには単に「送信機３」と呼ぶ。）、ＬＡＮ（Ｌｏｃａｌ  Ａｒｅａ  Ｎｅｔｗｏｒｋ）信号線４、受信機５Ａ、受信機５Ｂ、受信機５Ｃ、受信機５Ｄ、受信機５Ｅ、受信機５Ｆ及び５Ｇ（以下、総称するときには単に「受信機５」と呼ぶ。）、ＤＭＸ信号線６を介して照明装置７に送信する。これに応じて、調光システムでは、調光卓１の操作に応じて照明装置７を制御することにより、各照明装置７の点灯、消灯、明るさ等を制御する。
【００１７】
また、この調光システムは、イーサネット（登録商標）等の通信プロトコルに従ったＬＡＮパケットを伝送するＬＡＮ信号線４に接続され、送信機３及び受信機５の設定を一括管理する設定管理用端末８を備える。
【００１８】
調光卓１は、各照明装置７の制御内容や状態などを表示するためのモニタ、ユーザに操作される操作部を備え、操作内容に従って調光制御信号を生成する。具体的には、調光卓１は、操作部としてスイッチやフェーダなどを備え、これらのスイッチやフェーダなどが操作されることにより、照明制御における標準規格であるＤＭＸ規格に従ったＤＭＸ信号を生成して送信機３に出力する。
【００１９】
この調光卓１により生成されるＤＭＸ信号は、照明装置７の動作種類を示すコマンド情報、コマンド情報により示される動作種類を行うときの程度を示す調光制御情報とが格納されている。具体的には、コマンド情報は点灯動作、消灯動作、明るさ調整動作、明るさ調整動作における明るさの調整程度を示す。また、このＤＭＸ信号は、シリアルデータとして伝送され、各照明装置７のコマンド情報及び調光制御情報がチャンネル番号別のＤＭＸチャンネルに格納される。
【００２０】
送信機３は、調光卓１からＤＭＸ信号を入力すると、当該ＤＭＸ信号をＬＡＮ信号線４を介して受信機５にて受信可能なＬＡＮ規格に従ったＬＡＮパケットにプロトコル変換する。すなわち、送信機３は、ＬＡＮ規格に従ってブロードキャストアドレス又はシステム共通のマルチキャストアドレスを含むヘッダ情報等をＤＭＸ信号に付加することにより、ＬＡＮパケットを生成する。そして、送信機３は、ＬＡＮパケットをＬＡＮ信号線４に送出することで、各受信機５にＤＭＸ信号を含むＬＡＮパケットを送信する。
【００２１】
受信機５は、ＬＡＮパケットに含まれるヘッダ情報内のアドレスを認識することで、ＬＡＮ信号線４からのＬＡＮパケットを受信する。そして、受信機５は、ＬＡＮパケットからＤＭＸ信号を取り出すことにより、ＬＡＮ形式の信号をＤＭＸ形式のＤＭＸ信号に変換して、ＤＭＸ信号線６を介して照明装置７にＤＭＸ信号を出力する。このとき、受信機５では、予めユーザにより設定された合成設定情報に従って、自身が接続された照明装置７へのＤＭＸ信号を選択し、当該選択したＤＭＸ信号を各ＤＭＸチャンネルに格納することによりＤＭＸ信号線６に送出するＤＭＸ信号を合成する。
【００２２】
これにより、照明装置７では、受信機５からのＤＭＸ信号から、自身に設定されたＤＭＸチャンネルに相当するコマンド情報及び調光制御情報を取り出し、当該取り出したコマンド情報及び調光制御情報に従った動作をする。
【００２３】
このように構成された調光システムでは、例えば調光卓１ＡからＤＭＸ信号Ａを送信し、調光卓１ＢからＤＭＸ信号Ｂを送信し、調光卓１ＣからＤＭＸ信号Ｃを送信し、調光卓１ＤからＤＭＸ信号Ｄを送信した場合、送信機３ＡではＤＭＸ信号ＡとＤＭＸ信号Ｂとを含むＬＡＮパケットをＬＡＮ信号線４に送出すると共に、送信機３ＢではＤＭＸ信号ＣとＤＭＸ信号Ｄとを含むＬＡＮパケットをＬＡＮ信号線４に送出する。これにより、ＬＡＮ信号線４では、ＤＭＸ信号Ａ〜ＤＭＸ信号Ｄが全てブロードキャストされた状態となり、全受信機５Ａ〜５ＧにＤＭＸ信号Ａ〜ＤＭＸ信号Ｄが送信されることになる。
【００２４】
そして、各受信機５Ａ〜受信機５Ｇでは、自己に設定された合成設定情報に従って、照明装置７に送信するＤＭＸ信号を合成する。ここで、受信機５Ａ及び受信機５ＥはＤＭＸ信号Ａのみ含むＤＭＸ信号を照明装置７に送信し、受信機５ＢはＤＭＸ信号Ｂ、ＤＭＸ信号Ａを合成したＤＭＸ信号を照明装置７に送信し、受信機５Ｃ及び受信機５ＦはＤＭＸ信号Ｄ、ＤＭＸ信号Ｃを合成したＤＭＸ信号を照明装置７に送信し、受信機５ＤはＤＭＸ信号Ｄ、ＤＭＸ信号Ｃ、ＤＭＸ信号Ｂ、ＤＭＸ信号Ａを合成したＤＭＸ信号を照明装置７に送信し、受信機５ＧはＤＭＸ信号Ｂのみを含むＤＭＸ信号を送信する。
【００２５】
以下に、上述したような動作をする受信機５及び送信機３の各構成例について説明する。
【００２６】
［送信機３の構成例］
つぎに、上述したように構成された調光システムにおける送信機３の構成例について説明する。
【００２７】
この送信機３は、図２に示すように、調光卓１からＤＭＸ信号線２を介してＤＭＸ信号が送られると、ＤＭＸプロトコル変換部１１によりＬＡＮパケットに変換して、当該ＬＡＮパケットをＬＡＮ通信部１２によりＬＡＮ信号線４に送出する。
【００２８】
また、この送信機３は、調光システムの動作時において、調光システムを構成する他の機器に対して自己の機器種別を通知するための認識パケットをＬＡＮ通信部１２に送ることで、当該ＬＡＮ通信部１２に認識パケットを送信させる認識パケット送信部１３を備える。この認識パケット送信部１３は、例えば定期的に認識パケットをＬＡＮ通信部１２に送ることで、他の機器に定期的に認識パケットを送信する。
【００２９】
この認識パケットは、ＬＡＮ形式に従ったパケット構造となっており、例えば図３に示すように、パケット種類を示す情報が格納されるコード領域２１、例えばＩＰ（Ｉｎｔｅｒｎｅｔ  Ｐｒｏｔｏｃｏｌ）アドレスが格納されるアドレス領域２２、機器種別情報が格納される機器種別領域２３、名称情報が格納される名称領域２４を有するパケット構造となっている。本例において、認識パケット送信部１３は、コード領域２１に認識パケットであることを示すパケット識別情報（０×０１）を格納し、アドレス領域２２に自己のＩＰアドレス情報（１３３．２５４．１８０．３）を格納し、機器種別領域２３に送信機であることを示す機器種別情報を格納し、名称領域２４にユーザにより与えられた自己の名称を示す名称情報を格納する。また、この認識パケットは、送信先アドレスとして、調光システムを構成する全機器を送信先とするブロードキャストアドレスが付加される。
【００３０】
更にまた、この送信機３は、調光システムを構成する他の送信機３や受信機５からの認識パケットをＬＡＮ通信部１２を介して受信する認識パケット受信部１４を更に備える。ここで、ＬＡＮ通信部１２は、コード領域２１を参照して受信したＬＡＮパケットが認識パケットであることを認識した場合には、当該認識パケットを認識パケット受信部１４に出力する。認識パケット受信部１４では、認識パケットを受信すると、ＩＰアドレス情報、機器種別情報及び名称情報を取り出して送信機・受信機管理テーブル記憶部１５に出力する。
【００３１】
送信機・受信機管理テーブル記憶部１５では、ＩＰアドレス情報、機器種別情報及び名称情報を入力すると、当該各情報を対応づけて内部の記憶部に記憶する。これにより、送信機・受信機管理テーブル記憶部１５では、調光システムを構成する全送信機３についての情報を記憶した送信機管理テーブル及び調光システムを構成する全受信機５についての情報を記憶した受信機管理テーブルを作成する。
【００３２】
この送信機管理テーブル及び受信機管理テーブルは、設定管理用端末８と接続された合成設定作成ユーザインターフェース部１６に読み込まれる。ここで、設定管理用端末８は、内部にＷｅｂページを閲覧するブラウザ機能を有しており、調光システムを管理するユーザによる操作に応じて調光システムを構成する全機器についての情報を表示するコマンドを送信機３に送信する。
【００３３】
これに応じて、合成設定作成ユーザインターフェース部１６は、送信機・受信機管理テーブル記憶部１５に記憶された送信機管理テーブル及び受信機管理テーブルを読み出し、Ｗｅｂページとして設定管理用端末８でリスト表示可能な表示データを作成して設定管理用端末８に送る。これにより、設定管理用端末８では、調光システムを構成する全機器についての情報が閲覧可能となる。
【００３４】
また、設定管理用端末８では、送信機管理テーブル及び受信機管理テーブルの情報をリスト表示した状態において、各受信機５の合成設定を指定する操作がなされると、当該操作に応じたコマンド（合成設定コマンド）を合成設定作成ユーザインターフェース部１６に送信する。これに応じて、合成設定作成ユーザインターフェース部１６では、合成設定コマンドを受信機合成テーブル記憶部１７に送る。
【００３５】
受信機合成テーブル記憶部１７では、合成設定コマンドが送られると、当該合成設定コマンドによる合成設定内容を各受信機５ごとの合成設定情報として記憶する。この受信機合成テーブル記憶部１７では、各受信機５Ａ〜５Ｇについての合成設定コマンドに応じて、全受信機５の合成設定情報を保存することになる。
【００３６】
具体的には、送信機・受信機管理テーブル記憶部１５は、以前に受信した認識パケットに含まれる各送信機３、受信機５の情報から、図４（Ａ）及び図４（Ｂ）に示すような送信機管理テーブル及び受信機管理テーブルを作成する。そして、合成設定作成ユーザインターフェース部１６では、合成設定情報の設定対象となる受信機５Ａが指定されたことに応じて、図４（Ｃ）に示すように、受信機５Ａから出力するＤＭＸ信号を設定するための出力設定画面を設定管理用端末８に閲覧させる。この出力設定画面では、照明装置７に出力するＤＭＸ信号の送信元となる送信機３の名称、受信機５Ａから照明装置７に出力するＤＭＸ信号のチャンネル番号、入力ポート、送信元となる送信機３からのＤＭＸ信号から取り出すチャンネル番号を示す入力チャンネルの設定が可能となっている。
【００３７】
これにより、受信機合成テーブル記憶部１７は、各受信機５ごとに、送信機３の名称情報、出力チャンネル情報、入力ポート情報、入力チャンネル情報を合成設定情報として記憶する。
【００３８】
このように記憶された各受信機５の合成設定情報は、受信機設定情報送信部１８に読み込まれる。この受信機設定情報送信部１８は、各受信機５について合成設定をするに際して、受信機合成テーブル記憶部１７から各受信機５の合成設定情報を読み出し、当該合成設定情報に対応した受信機５のアドレス情報を付加したＬＡＮパケットをＬＡＮ通信部１２に送る。これにより、送信機３では、合成設定情報を各受信機５に送ることで、各受信機５の合成処理を設定する。
【００３９】
更にまた、この調光システムは、複数の送信機３が存在する場合に、何れか一つの送信機３が設定管理用端末８との間で通信をして受信機５の合成処理の設定を可能とするマスタ機器として機能する。このため、送信機３は、認識パケット受信部１４、送信機・受信機管理テーブル記憶部１５、合成設定作成ユーザインターフェース部１６、受信機合成テーブル記憶部１７及び受信機設定情報送信部１８を動作させるためのマスター動作設定部１９を備える。
【００４０】
このマスター動作設定部１９は、例えば調光システムの起動時において、自身がマスタ機器であって各受信機５の合成処理を設定する権限を有することを示す認識パケットを他の送信機３に送信する。これにより、調光システムでは、何れか一つの送信機３がマスタ機器として機能し、他の送信機３がマスタ機器としての機能（認識パケット受信部１４、送信機・受信機管理テーブル記憶部１５、合成設定作成ユーザインターフェース部１６、受信機合成テーブル記憶部１７、受信機設定情報送信部１８）を停止する状態となる。
【００４１】
［受信機５の構成例］
つぎに、上述したように構成された調光システムにおける受信機５の構成例について説明する。
【００４２】
受信機５は、図５に示すように、ＬＡＮ信号線４と接続されたＬＡＮ通信部３１によりＤＭＸ信号を含むＬＡＮパケットを受信すると、ＤＭＸプロトコル変換部３２によりＬＡＮパケットからＤＭＸ信号を取り出して、ＤＭＸ合成部３３に出力する。これにより、受信機５では、ＤＭＸプロトコル変換部３２によってＬＡＮパケットをＤＭＸ信号にプロトコル変換をして、ＤＭＸ合成部３３からＤＭＸ信号線６を介してＤＭＸ信号を照明装置７に送る。
【００４３】
ここで、受信機５は、自己を識別するための認識パケットを認識パケット送信部３４からＬＡＮ通信部３１に送ることで、当該認識パケットを定期的に送信する。ここで、受信機５から送信する認識パケットは、図３にて示したパケット構造と同様となっている。
【００４４】
また、受信機５は、送信機３で設定された合成設定情報をＬＡＮ通信部３１により受信する。ＬＡＮ通信部３１では、送信されたＬＡＮパケットに合成設定情報が含まれることを認識すると、ＬＡＮパケットから合成設定情報を取り出して合成設定テーブル記憶部３５に記憶する。
【００４５】
これにより、ＤＭＸ合成部３３では、複数のＤＭＸ信号を合成するに際して、合成設定情報に含まれる送信機名称情報にて識別される送信機３からのＤＭＸ信号を選択し、当該選択したＤＭＸ信号から入力チャンネル情報にて識別されるチャンネル番号の信号を取り出し、当該取り出した信号を合成出力チャンネル情報にて示されるチャンネル番号としたＤＭＸ信号を生成する。すなわち、ＤＭＸ合成部３３では、チャンネル番号の組み替えを行うことにより、複数の送信機３から異なるＤＭＸ信号を受信した場合でも、合成設定情報に従ってシリアルデータであるＤＭＸ信号を合成して生成することができる。
【００４６】
［第１実施形態の効果］
以上詳細に説明したように、本発明を適用した調光システムによれば、マスタとして機能する送信機３に設定管理用端末８がアクセスすることにより、合成設定情報の設定入力を行うのみでシステムを構成する受信機５の合成処理を設定をして、照明装置７の動作を設定することができる。したがって、この調光システムによれば、ＤＭＸ規格のような調光専用のプログラムや端末を使用することなく、システムに接続される受信機５の管理を容易に一括して行うことができ、安価なシステムを構成することができる。
【００４７】
［第２実施形態］
つぎに、第２実施形態に係る調光システムについて説明する。なお、以下の説明では、上述した説明と同様の部分については同一符号を付することによりその詳細な説明を省略する。
【００４８】
第２実施形態に係る調光システムを構成する受信機５は、図６に示すように、照明装置７にＤＭＸ信号を出力する出力ポートが２つ設けられている点で、第１実施形態に係る調光システムの受信機５とは異なる。すなわち、この受信機５は、２つのＤＭＸ信号線６Ａ、ＤＭＸ信号線６Ｂと接続されて異なるＤＭＸ信号を送出することで、各ＤＭＸ信号線６Ａ、６Ｂのそれぞれに接続された照明装置７を動作させる。
【００４９】
このような受信機５では、自己に２つの出力ポートが設けられていることを認識しており、図７に示すような認識パケットを認識パケット送信部３４からＬＡＮ通信部３１に送る。この認識パケットは、コード領域２１〜名称領域２４に続いて、出力ポート数情報を格納する出力ポート数領域２５が設けられている。そして、この受信機５では、出力ポート数領域２５に「２」を格納した認識パケットを定期的に配信することにより、マスタ機器として機能する送信機３にその旨を通知する。
【００５０】
このような認識パケットを受信する送信機３は、図８に示すように、送信機３の各出力ポートごとに合成設定情報を記憶する受信機合成テーブル記憶部４２を備え、合成設定作成ユーザインターフェース部１６により各出力ポートについての合成処理の設定をユーザに促す画面を表示させる。これにより、送信機３では、受信機５に設けられている各出力ポートごとに合成設定情報を設定して、各合成設定情報によりＤＭＸ合成部３３の合成処理を制御することが可能となる。
【００５１】
［第３実施形態］
つぎに、第３実施形態に係る調光システムについて説明する。なお、以下の説明では、上述した説明と同様の部分については同一符号を付することによりその詳細な説明を省略する。
【００５２】
第３実施形態に係る調光システムは、送信機３の構成を図９に示すように、マスター動作設定部１９にディップスイッチ５１を接続し、当該ディップスイッチ５１をユーザに操作させることにより、複数の送信機３のうちの何れかの送信機３をマスタ機器として機能させることを特徴とする。
【００５３】
このような送信機３は、ディップスイッチ５１が操作されてマスタ機器とされると共に、その他の送信機３は、ディップスイッチ５１が操作されてマスタ機器に制御されるスレーブ機器として機能するように設定される。各送信機３では、マスター動作設定部１９によりディップスイッチ５１の操作状態を検出することにより、自身がマスタ機器として機能するか、スレーブ機器として機能するかを判定する。
【００５４】
このような第３実施形態に係る調光システムによれば、ユーザにより任意の送信機３をマスタ機器に設定し、当該マスタ機器となった送信機３に受信機５の合成設定を行うことにより、システムを構成する全機器について簡単に設定を一括して行うことができる。
【００５５】
［第４実施形態］
つぎに、第４実施形態に係る調光システムについて説明する。なお、以下の説明では、上述した説明と同様の部分については同一符号を付することによりその詳細な説明を省略する。
【００５６】
第４実施形態に係る調光システムは、送信機３の構成を図１０に示すように、マスター動作設定部１９にＷｅｂサーバ６１を接続し、当該Ｗｅｂサーバ６１と設定管理用端末８とをネットワーク接続した点で、上述した実施形態に係る調光システムとは異なる。
【００５７】
このような送信機３では、Ｗｅｂサーバ６１と設定管理用端末８とが通信をすることにより、設定管理用端末８からＷｅｂサーバ６１に、送信機３をマスタ機器として機能させるコマンド（マスタ設定コマンド）の送信を可能とする。
【００５８】
そして、送信機３では、Ｗｅｂサーバ６１によりマスタ設定コマンドを受信すると、当該マスタ設定コマンドをマスター動作設定部１９に送ることにより、認識パケット受信部１４、送信機・受信機管理テーブル記憶部１５、合成設定作成ユーザインターフェース部１６、受信機合成テーブル記憶部１７及び受信機設定情報送信部１８を動作させる。また、他の送信機３では、Ｗｅｂサーバ６１からマスタ設定コマンドが送られないので、認識パケット受信部１４、送信機・受信機管理テーブル記憶部１５、合成設定作成ユーザインターフェース部１６、受信機合成テーブル記憶部１７及び受信機設定情報送信部１８を動作させない。
【００５９】
このような第４実施形態に係る調光システムによれば、Ｗｅｂブラウザを実装した設定管理用端末８をユーザが操作するだけで、ユーザにより任意の送信機３をマスタ機器に設定し、当該マスタ機器となった送信機３に受信機５の合成設定を行うことにより、システムを構成する全機器について簡単に設定を一括して行うことができる。
【００６０】
［第５実施形態］
つぎに、第５実施形態に係る調光システムについて説明する。なお、以下の説明では、上述した説明と同様の部分については同一符号を付することによりその詳細な説明を省略する。
【００６１】
第５実施形態に係る調光システムは、送信機３の構成を図１１に示すように、送信機３に、受信する認識パケットを監視するマスター検出部７１、複数のマスタ機器が存在することを検出する構成異常通知部７２を備える点で、上述した実施形態に係る調光システムとは異なる。
【００６２】
この送信機３では、調光システムが起動している時、システムを構成する他の送信機３や受信機５から定期的に受信する認識パケットが認識パケット受信部１４に送られると、当該認識パケットに格納された機器種別情報や名称情報などを検出する。これにより、送信機３では、自身がマスタ機器となっている状態において、他の送信機３がマスタ機器となっているか否かを監視する。そして、送信機３では、自身の他のマスタ機器となっている送信機３を検出すると、その旨を示す情報を構成異常通知部７２に送る。
【００６３】
構成異常通知部７２では、自身がマスタ機器となっている状態において、マスター検出部７１から他の送信機３がマスタ機器となっていることを示す情報が送られると、その旨をユーザに通知する。
【００６４】
このような調光システムによれば、第３実施形態や第４実施形態のようにディップスイッチ５１やＷｅｂサーバ６１を利用してユーザの操作に応じてマスタ機器を決定した場合に、ユーザの操作ミスなどによって複数の送信機３がマスタ機器に設定された場合であっても、ユーザに通知してマスタ機器の再設定を促すことができ、システムの信頼性を向上させることができる。
【００６５】
［第６実施形態］
つぎに、第６実施形態に係る調光システムについて説明する。なお、以下の説明では、上述した説明と同様の部分については同一符号を付することによりその詳細な説明を省略する。
【００６６】
第６実施形態に係る調光システムは、送信機３の構成を図１２に示すように、送信機３にプライオリティ検出部８１及びプライオリティ設定部８２を設け、設定された優先度（プライオリティ）に応じて何れかの送信機３をマスタ機器として機能させることを特徴とする。
【００６７】
このような調光システムにおける各送信機３では、ユーザにより、プライオリティ設定部８２にマスタ機器となるためのプライオリティが設定される。ここで、ユーザによるプライオリティの設定手法としては、上述したようにディップスイッチ５１やＷｅｂサーバ６１により行っても良い。
【００６８】
そして、この調光システムでは、例えばシステムの起動時において、認識パケット送信部１３からプライオリティ情報を含む認識パケットを定期的に送信する。この認識パケットは、図１３に示すように、コード領域２１〜名称領域２４に続いて、プライオリティ情報を格納するプライオリティ格納領域２６が設けられている。
【００６９】
これにより、各送信機３では、各マスター動作設定部１９により、他の送信機３のプライオリティを認識して、自身よりもプライオリティが高い送信機３が存在しないときには自身がマスタ機器となり、自身よりもプライオリティが高い送信機３が存在するときには自身がスレーブ機器となる。すなわち、この調光システムでは、ユーザにより設定されたプライオリティが最も高い送信機３がマスタ機器として動作することが許可される。
【００７０】
具体的には、マスタ機器として機能する送信機３は、調光システムが起動しているときに、他の送信機３から送られる認識パケットを認識パケット受信部１４にて受信すると、マスター検出部７１により自身以外の送信機３がマスタ機器として機能しているか否かを判定する。
【００７１】
そして、プライオリティ検出部８１では、自身以外にマスタ機器として機能している送信機３が存在すると判定した場合には、プライオリティ設定部８２に設定されている自身のプライオリティ情報と、他の送信機３のプライオリティ情報とを比較して、何れかのプライオリティが高いかを判定する。プライオリティ検出部８１では、自身のプライオリティ情報が他の送信機３のプライオリティ情報よりも高い場合には、マスター動作設定部１９にマスタ機器としての動作を継続させ、自身のプライオリティ情報が他の送信機３のプライオリティ情報よりも低い場合には、マスター動作設定部１９にマスタ機器としての動作を停止させる。
【００７２】
このような第６実施形態に係る調光システムによれば、ユーザによるマスタ機器の設定に誤りがあった場合であっても、各送信機３間でプライオリティ情報を含む認識パケットを定期的に送信することにより、自動的に何れかの送信機３をマスタ機器として機能させてシステム全体を正常に動作させることができ、システムの信頼性を向上させることができる。
【００７３】
［第７実施形態］
つぎに、第７実施形態に係る調光システムについて説明する。なお、以下の説明では、上述した説明と同様の部分については同一符号を付することによりその詳細な説明を省略する。
【００７４】
第７実施形態に係る調光システムは、送信機３の構成を図１４に示すように、送信機３にＩＰ最下位バイト比較部９１を設け、各送信機３に付与されたＩＰアドレスに応じて何れかの送信機３をマスタ機器として機能させることを特徴とする。
【００７５】
この調光システムでは、上述したように、認識パケット送信部１３からＩＰアドレス情報を含む認識パケットを定期的に送信している。これにより、各送信機３では、マスター検出部７１により各送信機３のＩＰアドレス情報を認識している。そして、調光システムでは、各送信機３により、ＩＰアドレスの最下位バイトが最も低い送信機３をマスタ機器として機能させる。
【００７６】
このような調光システムにおいて、送信機３では、自身がマスタ機器として機能しているときに、マスター検出部７１により他の送信機３がマスタ機器として機能しているか否かを判定する。
【００７７】
そして、マスター検出部７１により自身以外にマスタ機器として機能している送信機３が存在すると判定した場合には、ＩＰ最下位バイト比較部９１は、自身のＩＰアドレス情報の最下位バイトと、他の送信機３のＩＰアドレス情報の最下位バイトとを比較して、何れかのＩＰアドレスの最下位バイトが低いかを判定する。ＩＰ最下位バイト比較部９１では、自身のＩＰアドレスの最下位バイトが他の送信機３のＩＰアドレスの最下位バイトよりも低い場合には、マスター動作設定部１９にマスタ機器としての動作を継続させ、自身のＩＰアドレスの最下位バイトが他の送信機３のＩＰアドレスの最下位バイトよりも高い場合には、マスター動作設定部１９にマスタ機器としての動作を停止させる。
【００７８】
このような第７実施形態に係る調光システムによれば、ユーザによるマスタ機器の設定に誤りがあった場合であっても、各送信機３間でＩＰアドレスを含む認識パケットを定期的に送信することにより、自動的に何れかの送信機３をマスタ機器として機能させてシステム全体を正常に動作させることができ、システムの信頼性を向上させることができる。
【００７９】
［第８実施形態］
つぎに、第８実施形態に係る調光システムについて説明する。なお、以下の説明では、上述した説明と同様の部分については同一符号を付することによりその詳細な説明を省略する。
【００８０】
第８実施形態に係る調光システムは、送信機３の構成を図１５に示すように、合成設定作成ユーザインターフェース部１６及び受信機合成テーブル記憶部１７に接続された同時設定部１０１を設けた点で、上述した実施形態に係る調光システムとは異なる。
【００８１】
すなわち、この調光システムでは、合成設定作成ユーザインターフェース部１６により各受信機５についての合成設定コマンドを受信したことに応じて受信機合成テーブル記憶部１７に各受信機５ごとの合成設定情報を記憶させる処理のみならず、設定管理用端末８からの合成設定コマンドを合成設定作成ユーザインターフェース部１６により受信したことに応じて、同時設定部１０１により同時に複数の合成設定情報を生成する。
【００８２】
このとき、同時設定部１０１では、送信機・受信機管理テーブル記憶部１５に記憶されている全受信機５に関する情報を設定管理用端末８にリスト表示させて、同じ合成設定情報を設定する複数の受信機５の選択を促す。これにより、同時設定部１０１は、複数の受信機５の合成設定情報を同時に設定するように選択させることができる。
【００８３】
これにより、調光システムでは、例えば複数の受信機５について同一の合成設定情報とする場合であっても、各受信機５毎に合成設定コマンドの入力を設定管理用端末８に促すような手間を省くことができ、合成設定情報の設定を効率的に行うことができる。
【００８４】
［第９実施形態］
つぎに、第９実施形態に係る調光システムについて説明する。なお、以下の説明では、上述した説明と同様の部分については同一符号を付することによりその詳細な説明を省略する。
【００８５】
第９実施形態に係る調光システムは、送信機３の構成を図１６に示すように、受信機合成テーブル記憶部１７に各受信機５の合成設定情報１１１を記憶することに加えて、当該各合成設定情報１１１に対応してバージョンを表す管理番号情報１１２を記憶し、更に管理番号情報１１２を管理する管理番号比較部１１３を備えた点で、上述した実施形態に係る調光システムとは異なる。
【００８６】
本例において、管理番号情報１１２は、合成設定情報１１１のバージョン、すなわち合成設定情報１１１が最新の情報であるか否かを示す情報である。そして、合成設定作成ユーザインターフェース部１６では、合成設定情報１１１を設定するに際して、合成設定情報１１１と共に、管理番号情報１１２を付加して受信機合成テーブル記憶部１７に記憶させる。
【００８７】
また、この調光システムでは、各受信機５に合成設定情報１１１を送るに際して、合成設定情報１１１に対応した管理番号情報１１２も併せて送信することにより、受信機５に管理番号情報１１２を記憶させておく。ここで、受信機合成テーブル記憶部１７及び合成設定テーブル記憶部３５には、合成設定情報１１１を格納する記憶領域に加えて、管理番号情報１１２を格納する記憶領域を別個に設けておく。
【００８８】
このような送信機３では、マスタ機器として機能している場合に、受信機５から図１７に示すような認識パケットを受信する。この認識パケットには、コード領域２１〜名称領域２４に続いて管理番号情報１１２を格納する管理番号領域２７が設けられている。
【００８９】
そして、送信機３の管理番号比較部１１３では、認識パケット受信部１４にて受信した認識パケットに含まれる管理番号情報１１２と、受信機合成テーブル記憶部１７に記憶されている管理番号情報１１２とを比較して、各受信機５に記憶されている合成設定情報１１１が最新の情報であるか否かを判定する。そして、管理番号比較部１１３では、最新の合成設定情報１１１が記憶されていない受信機５が存在する場合には、当該受信機５に最新の合成設定情報１１１及び管理番号情報１１２を送信するように受信機設定情報送信部１８を制御する。
【００９０】
したがって、この調光システムによれば、各受信機５の合成設定情報１１１を常に最新の情報に更新することができ、ユーザによる受信機５の設定を更に容易とすることができる。
【００９１】
［第１０実施形態］
つぎに、第１０実施形態に係る調光システムについて説明する。なお、以下の説明では、上述した説明と同様の部分については同一符号を付することによりその詳細な説明を省略する。
【００９２】
第１０実施形態に係る調光システムは、送信機３の構成を図１８に示すように、送信機３に、受信機合成テーブル記憶部１７に記憶されている合成設定情報を他の送信機３との間で通信する受信機合成テーブル通信部１２１を備える点で、上述の実施形態に係る調光システムとは異なる。
【００９３】
この送信機３では、マスタ機器として機能している場合に、受信機合成テーブル通信部１２１により、受信機合成テーブル記憶部１７に記憶された全受信機５の合成設定情報を、ＬＡＮ通信部１２から他の全送信機３に定期的に送信する。
【００９４】
これに対し、マスタ機器として機能していない送信機３では、マスタ機器として機能する送信機３からの全受信機５の合成設定情報を、ＬＡＮ通信部１２を介して受信機合成テーブル通信部１２１により定期的に受信する。そして、マスタ機器として機能していない送信機３では、定期的に受信機合成テーブル記憶部１７に記憶させている合成設定情報を更新することになる。
【００９５】
このような調光システムによれば、マスタ機器として機能していない送信機３に定期的に合成設定情報の更新をさせているので、マスタ機器として機能する送信機３が故障等により使用不可となっても、他の送信機３をマスタ機器として機能させることにより、マスタ機器として機能していた送信機３が使用不可となる直前の状態にて各照明装置７の制御を継続させることができる。
【００９６】
［第１１実施形態］
つぎに、第１１実施形態に係る調光システムについて説明する。なお、以下の説明では、上述した説明と同様の部分については同一符号を付することによりその詳細な説明を省略する。
【００９７】
第１１実施形態に係る調光システムは、送信機３の構成を図１９に示すように、送信機３に、マスター送信機監視部１３１、マスター送信機故障判定部１３２を備える点で、上述した実施形態に係る調光システムとは異なる。
【００９８】
このような送信機３は、自身がマスタ機器として機能していない場合に、マスタ機器として機能する送信機３からの認識パケットを認識パケット受信部１４ににより受信すると、マスター送信機監視部１３１により、マスタ機器として機能する送信機３が動作しているかを監視する。
【００９９】
そして、マスター送信機故障判定部１３２では、マスター送信機監視部１３１により監視している認識パケットが、定期的に受信されていないか否かを判定することにより、マスタ機器として機能する送信機３が故障していないか否かを判定する。マスター送信機故障判定部１３２では、マスタ機器として機能する送信機３が故障していると判定した場合には、マスター動作設定部１９に新たなマスタ機器を設定する動作をさせる。
【０１００】
具体的には、送信機３は、図２０に示すように、プライオリティ設定部８２を設けると共に、各送信機３のプライオリティを比較するプライオリティ比較部１４１をマスター送信機故障判定部１３２と接続して設ける。これにより、送信機３では、マスター送信機故障判定部１３２によりマスタ機器の故障を検出すると、プライオリティ比較部１４１により、プライオリティが最も高い送信機３をマスタ機器とする処理をする。
【０１０１】
更に、送信機３は、図２１に示すように、マスター送信機故障判定部１３２にＩＰ最下位バイト比較部９１を接続し、マスタ機器に故障が発生した場合に、ＩＰアドレスの最下位バイトが最も低い送信機３をマスタ機器とする処理をする。
【０１０２】
ここで、各送信機３には、受信機合成テーブル通信部１２１が設けられており、何れかの送信機３がマスタ機器となっても、システムをマスタ機器として機能していた送信機３が故障する直前の状態とすることができる。
【０１０３】
したがって、この調光システムによれば、マスタ機器が故障した場合であっても、何れかの送信機３が新たなマスタ機器となることにより、システムの信頼性を更に向上させることができる。
【０１０４】
［第１２実施形態］
つぎに、第１２実施形態に係る調光システムについて説明する。なお、以下の説明では、上述した説明と同様の部分については同一符号を付することによりその詳細な説明を省略する。
【０１０５】
第１２実施形態に係る調光システムは、送信機３及び受信機５にグループアドレスを設定する図示しないグループアドレス設定部を備える点で、上述の実施形態に係る調光システムとは異なる。
【０１０６】
このグループアドレス設定部は、例えば複数の調光システムが存在する場合に、各調光システムごとにグループアドレスを設定する。すなわち、このグループアドレスは、調光システムごとに異なるマルチキャストアドレスとなるように設定される。そして、送信機３及び受信機５は、調光システムで共通したグループアドレスを宛先アドレスとして付加したＬＡＮパケットを送受信することにより、ＤＭＸ信号を含むＬＡＮパケットや、認識パケットを送受信する。
【０１０７】
このような第１２実施形態に係る調光システムによれば、同一のグループアドレスが付与された調光システム内ではＬＡＮパケットをブロードキャストすることになるが、異なるグループアドレスの調光システムにはＬＡＮパケットを送信しないようにすることができる。
【０１０８】
したがって、この調光システムによれば、異なる調光システムがネットワーク上で接続されて混在した場合であっても、通信トラフィックによる影響を受けず、マスタ機器として機能する送信機３をグループアドレスで区分して管理することができる。
【０１０９】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【０１１０】
【発明の効果】
本発明に係る調光制御システムによれば、受信装置ごとの合成設定情報をマスタ機器により管理し、ユーザの指示によって各受信装置の合成処理を制御することができるので、直接ユーザが操作する端末が各受信装置にアクセスして合成設定をする必要が無い。したがって、この調光制御システムによれば、受信装置の合成設定をするための専用のプログラムや端末を使用することなく、ネットワークに接続される機器の管理を一括して行うことができる。
【図面の簡単な説明】
【図１】本発明を適用した調光システムの構成を示すブロック図である。
【図２】本発明を適用した第１実施形態に係る調光システムにおける送信機の構成例を示すブロック図である。
【図３】本発明を適用した第１実施形態に係る調光システムにおける認識パケットの構造を示す図である。
【図４】本発明を適用した第１実施形態に係る調光システムにおいて、ユーザによる受信機の合成設定情報の設定について説明するための図である。
【図５】本発明を適用した第１実施形態に係る調光システムにおける受信機の構成例を示すブロック図である。
【図６】本発明を適用した第２実施形態に係る調光システムにおける受信機の構成例を示すブロック図である。
【図７】本発明を適用した第２実施形態に係る調光システムにおいて、受信機から送信される認識パケットの構造を示す図である。
【図８】本発明を適用した第２実施形態に係る調光システムにおける送信機の構成例を示すブロック図である。
【図９】本発明を適用した第３実施形態に係る調光システムにおける送信機の構成例を示すブロック図である。
【図１０】本発明を適用した第４実施形態に係る調光システムにおける送信機の構成例を示すブロック図である。
【図１１】本発明を適用した第５実施形態に係る調光システムにおける送信機の構成例を示すブロック図である。
【図１２】本発明を適用した第６実施形態に係る調光システムにおける送信機の構成例を示すブロック図である。
【図１３】本発明を適用した第６実施形態に係る調光システムにおける認識パケットの構造を示す図である。
【図１４】本発明を適用した第７実施形態に係る調光システムにおける送信機の構成例を示すブロック図である。
【図１５】本発明を適用した第８実施形態に係る調光システムにおける送信機の構成例を示すブロック図である。
【図１６】本発明を適用した第９実施形態に係る調光システムにおける送信機の構成例を示すブロック図である。
【図１７】本発明を適用した第９実施形態に係る調光システムにおける認識パケットの構造を示す図である。
【図１８】本発明を適用した第１０実施形態に係る調光システムにおける送信機の構成例を示すブロック図である。
【図１９】本発明を適用した第１１実施形態に係る調光システムにおける送信機の構成例を示すブロック図である。
【図２０】本発明を適用した第１１実施形態に係る調光システムにおける送信機の他の構成例を示すブロック図である。
【図２１】本発明を適用した第１１実施形態に係る調光システムにおける送信機の更に他の構成例を示すブロック図である。
【符号の説明】
１  調光卓
２  ＤＭＸ信号線
３  送信機
４  ＬＡＮ信号線
５  受信機
６  ＤＭＸ信号線
７  照明装置
８  設定管理用端末
１１，３２  ＤＭＸプロトコル変換部
１２，３１  ＬＡＮ通信部
１３，３４  認識パケット送信部
１４  認識パケット受信部
１５  送信機・受信機管理テーブル記憶部
１６  合成設定作成ユーザインターフェース部
１７  受信機合成テーブル記憶部
１８  受信機設定情報送信部
２１  コード領域
２２  アドレス領域
２３  機器種別領域
２４  名称領域
２５  出力ポート数領域
２６  プライオリティ格納領域
２７  管理番号領域
３３，４１  ＤＭＸ合成部
３５  合成設定テーブル記憶部
５１  ディップスイッチ
６１  Ｗｅｂサーバ
７１  マスター検出部
７２  構成異常通知部
８１  プライオリティ検出部
８２  プライオリティ設定部
９１  ＩＰ最下位バイト比較部
１０１  同時設定部
１１１  合成設定情報
１１２  管理番号情報
１１３  管理番号比較部
１２１  受信機合成テーブル通信部
１３１  マスター送信機監視部
１３２  マスター送信機故障判定部
１４１  プライオリティ比較部
【図１】
2004336169.tif 000003
【図２】
2004336169.tif 000004
【図３】
2004336169.tif 000005
【図４】
2004336169.tif 000006
【図５】
2004336169.tif 000007
【図６】
2004336169.tif 000008
【図７】
2004336169.tif 000009
【図８】
2004336169.tif 000010
【図９】
2004336169.tif 000011
【図１０】
2004336169.tif 000012
【図１１】
2004336169.tif 000013
【図１２】
2004336169.tif 000014
【図１３】
2004336169.tif 000015
【図１４】
2004336169.tif 000016
【図１５】
2004336169.tif 000017
【図１６】
2004336169.tif 000018
【図１７】
2004336169.tif 000019
【図１８】
2004336169.tif 000020
【図１９】
2004336169.tif 000021
【図２０】
2004336169.tif 000022
【図２１】
2004336169.tif 000023